(57)【要約】【課題】  水の腐敗を抑制すると共に、水の腐敗に起因する流路閉塞の発生を未然にかつ容易に防止する手段を備える燃料電池発電装置を提供する。【解決手段】  少なくとも有機化合物を含む原料と水とを用いて水素を生成する水素生成装置１と、水素と空気とを用いて発電しかつ水で冷却される燃料電池３と、生成又は排出される水を回収する水回収装置５と、水を貯水・浄化・供給する水処理供給装置６と、水を水処理供給装置６に導く水導入配管ｎ，ｂと、水を水素生成装置１及び燃料電池３に供給する水供給配管ａ，ｅ，ｈとを有する燃料電池発電装置１００であって、前記水導入配管及び前記水供給配管が、前記水導入配管及び前記水供給配管を少なくとも前記水処理供給装置側の部分と残りの部分とに分離可能に接続する接続具１４ａ，１４ｂにより各々接続されている。【選択図】  図１
2005339889.tif 000002
【特許請求の範囲】
【請求項１】
少なくとも炭素及び水素からなる有機化合物を含む原料と水とを用いて水素を生成する水素生成装置と、該水素生成装置で生成される水素と空気とを用いて発電しかつ水で冷却される燃料電池と、該燃料電池及び前記水素生成装置から排出される水を回収する水回収装置と、該水回収装置により回収された水を貯水する貯水器と、該貯水器に貯水された水を浄化する水浄化器と、該水浄化器により浄化された水を前記水素生成装置及び前記燃料電池に供給する水供給器と、前記回収された水を前記貯水器に導く水導入配管と、前記浄化された水を前記水素生成装置及び前記燃料電池に導く水供給配管とを有する燃料電池発電装置であって、
前記水導入配管及び前記水供給配管が、前記水導入配管及び前記水供給配管を少なくとも前記貯水器及び前記水浄化器及び前記水供給器側の部分と残りの部分とに分離可能に接続する接続具により各々接続されている、燃料電池発電装置。
【請求項２】
少なくとも前記貯水器及び前記水浄化器及び前記水供給器が一体化されかつ前記接続具の接続又は分離によってのみ独立可能とされている、請求項１記載の燃料電池発電装置。
【請求項３】
少なくとも前記貯水器及び前記水浄化器及び前記水供給器が、前記水供給器が分離可能に一体化されている、請求項２記載の燃料電池発電装置。
【請求項４】
前記貯水器は水を貯水可能な貯水タンクを有し、
前記水浄化器は水を浄化可能な浄化部材を内包する容器を有し、
少なくとも前記貯水タンクと前記容器とが一体成型されている、請求項２記載の燃料電池発電装置。
【請求項５】
前記貯水タンク及び前記容器の少なくとも水と接触する表面が、撥水性又は疎水性を有する樹脂により構成されている、請求項４記載の燃料電池発電装置。
【請求項６】
前記樹脂が、ポリオレフィン樹脂、フッ素樹脂、又はシリコーン樹脂の内の何れかの樹脂である、請求項５記載の燃料電池発電装置。
【請求項７】
前記貯水タンクはその上壁が内方より突出する凸部を有し、
前記貯水器は前記貯水タンク内の水位を検出可能な水位検出手段を更に有し、
前記凸部に前記水導入配管が前記貯水タンク内に貯水可能に接続されかつ前記水位検出手段が前記凸部内に配設されている、請求項１記載の燃料電池発電装置。
【請求項８】
前記接続具の内部に、水を濾過する第１の水フィルタが着脱自在に配設されている、請求項１記載の燃料電池発電装置。
【請求項９】
前記第１の水フィルタの目の寸法が、０μｍを超え０．２μｍ以下である、請求項８記載の燃料電池発電装置。
【請求項１０】
前記貯水器の内部に、水を濾過する第２の水フィルタが着脱自在に配設されている、請求項１記載の燃料電池発電装置。
【請求項１１】
前記第２の水フィルタの目の寸法が、０μｍを超え０．２μｍ以下である、請求項１０記載の燃料電池発電装置。
【請求項１２】
少なくとも前記水素生成装置と前記燃料電池と前記水回収装置と前記貯水器と前記水浄化器と前記水供給器と前記水導入配管と前記水供給配管と前記接続具とを内包する筐体を更に有し、
少なくとも前記貯水器及び前記水浄化器及び前記水供給器が、前記筐体内の最下部に配設されている、請求項１記載の燃料電池発電装置。
【発明の詳細な説明】
【技術分野】
【０００１】
本発明は、炭化水素系の燃料を改質して得る水素を利用して発電する燃料電池発電装置に関し、特に、発電に伴って生成する水を回収及び浄化して効果的に再利用する燃料電池発電装置に関する。
【背景技術】
【０００２】
従来から、高効率な小規模発電が可能な燃料電池は、発電時に発生する熱エネルギーを利用するためのシステム構築が容易であると共に、高いエネルギー利用効率が実現できるため、分散型発電システムにおいて好適に用いられている。
【０００３】
燃料電池の多くは、発電のための燃料として水素を用いる。しかしながら、この水素の供給手段は、現在、インフラストラクチャーとして整備されていない。そのため、燃料電池発電装置では、発電のために用いる水素を、水素生成装置によって生成している。この水素生成装置では、天然ガス等の化石燃料が改質反応によって改質されて水素が生成される。燃料電池発電装置の燃料電池では、水素生成装置において改質反応によって生成される水素と空気（空気中の酸素）とが用いられて、発電が行われる。
【０００４】
ところで、水素生成装置において水素を生成するために用いられる改質反応では、天然ガス等の化石燃料から水素を生成するために、水が用いられる。そして、この改質反応に必要な水は、通常、水道から供給される。しかし、この水道から供給される水には、カルシウムや塩素等の、水素生成装置に対して有害な成分が含まれている。そこで、燃料電池発電装置では、活性炭やイオン交換樹脂等を備える浄水器を設け、この浄水器によって水に含まれるカルシウムや塩素等を除去し、それら有害な成分が十分に除去された水を水素生成装置に供給するようにしている。しかしながら、この浄水器によって水を浄化する構成では、イオン交換樹脂等の浄水能力が使用時間に比例して低下するため、イオン交換樹脂等を頻繁にメンテナンス又は交換する必要があった。これは、燃料電池発電装置のランニングコストを悪化させる一因となっていた。
【０００５】
一方、発電に伴って生成される水を利用することにより水道から水素生成装置への水の供給量を低減させ、これによってイオン交換樹脂等のメンテナンス頻度等を低減させる燃料電池発電装置が提案されている。この燃料電池発電装置によれば、発電の際に生成される水は水素と酸素とが化学反応して生成されるものであり、従ってその水にはカルシウムや塩素等の水素生成装置に対して有害な成分は含まれておらず、その有害な成分を含まない水を利用することによって水道からの水の供給量を低減させることができるため、イオン交換樹脂等の寿命を延長させることが可能になる。つまり、イオン交換樹脂等、ひいては浄水器を頻繁にメンテナンス等する必要が無くなるので、燃料電池発電装置のランニングコストを改善することが可能になる。しかし、この発電に伴って生成される水を利用する構成では、発電に用いる空気には雑菌やその養分等が含まれており、その空気を用いて発電する際に生成される水は塩素等の殺菌成分を含んでいない一方で雑菌やその養分等を含んでいるため、燃料電池発電装置内で水が腐敗する場合があった。そして、この場合には、水を回収するための水回収装置や水供給用の配管等において水の腐敗に起因する流路閉塞が発生することがあった。
【０００６】
そこで、燃料電池発電装置内における水の腐敗を防止するために、抗菌作用を有する金属材料によって水回収装置や水供給用配管等の水と直接接触する構成要素を構成する燃料電池発電装置が提案されている（例えば、特許文献１参照）。
【０００７】
又、燃料電池発電装置の内部に紫外線照射装置を設け、この紫外線照射装置から発せられる紫外線を水に照射することによってその腐敗を抑制する燃料電池発電装置が提案されている（例えば、特許文献２参照）。又、この提案に類似して、水に対する紫外線の照射が、その水の中に微生物が発生したことが検出された後に実施される燃料電池発電装置も提案されている（例えば、特許文献３参照）。
【０００８】
又、水の酸性度が強酸性となるよう調整することにより雑菌の繁殖を抑制し、これによって水の腐敗を抑制する燃料電池発電装置が提案されている（例えば、特許文献４参照）。
【０００９】
又、水供給用配管等の水が流れる経路の所定位置に抗菌フィルタを設け、この抗菌フィルタによって水に含まれる雑菌等を除去し、これによって水の腐敗を抑制する燃料電池発電装置が提案されている（例えば、特許文献５参照）。
【００１０】
又、燃料電池発電装置の内部に加熱装置を設け、この加熱装置を用いて水を雑菌の殺菌に必要な温度まで加熱し、これによって水の腐敗を抑制する燃料電池発電装置が提案されている（例えば、特許文献６参照）。
【００１１】
更に、燃料電池から排出される、燃料電池を冷却するために用いられた高温状態の冷却水により水を雑菌の殺菌に必要な温度まで加熱し、これによって水の腐敗を抑制する燃料電池発電装置が提案されている（例えば、特許文献７参照）。
【特許文献１】特開平８−２２８３３号公報
【特許文献２】特開平９−６３６１２号公報
【特許文献３】特開２００２−２７０２１１号公報
【特許文献４】特開平８−２２８３３号公報
【特許文献５】特開平８−６３６１１号公報
【特許文献６】特開平８−１３８７１４号公報
【特許文献７】特開２００２−２７０１９４号公報
【発明の開示】
【発明が解決しようとする課題】
【００１２】
上記提案によれば、燃料電池発電装置内の水は適宜殺菌若しくは除菌等されるので、その水の腐敗は抑制される。つまり、水の腐敗に起因して発生する流路閉塞が抑制されるので、浄水器等を頻繁にメンテナンス等する必要が無い、ランニングコストが改善された好適な燃料電池発電装置を構築することが可能になる。
【００１３】
しかしながら、現実には、水回収装置や水供給用配管等の水と直接接触する構成要素に抗菌作用を有する金属材料等を適用する提案では、その金属材料等に含まれる抗菌成分自体の抗菌作用は長期間維持されるが、使用条件によっては抗菌成分が金属材料等から水中に溶出してしまい、これにより金属材料等の抗菌作用が劣化するため、水の腐敗を抑制することが困難な場合があった。又、溶出した抗菌成分の影響によって、イオン交換樹脂等の浄水能力が著しく低下する場合があった。又、金属材料等に含まれる抗菌成分が溶出しない場合であっても、雑菌の種類によっては、所望の腐敗抑制効果が得られない場合があった。
【００１４】
又、水に紫外線を照射する提案や、水の酸性度を強酸性に調整する提案、抗菌フィルタによって雑菌を除去する提案、水の温度を雑菌の殺菌に必要な温度以上まで上昇させる提案等では、水に雑菌等が混入する経路を根絶することが困難であったため、ある程度までは水の腐敗を抑制することが可能であったが、所望の腐敗抑制効果を得ることはできなかった。又、それらの提案では、燃料電池発電装置の動作を長期に渡って停止させた場合、つまり、長期に渡って水の殺菌処理等が行えなかった場合には、水の腐敗が進行する確率が高くなった。
【００１５】
即ち、上記何れの提案によっても、燃料電池発電装置において用いられる水の腐敗を確実に抑制することは困難であった。そして、そのため、水の腐敗に起因して発生す流路閉塞を完全に防止することは現実には困難であった。
【００１６】
本発明は、上記課題を解決するためになされたもので、水の腐敗を抑制すると共に、水の腐敗に起因する流路閉塞の発生を未然にかつ容易に防止する手段を備える燃料電池発電装置を提供することを目的としている。
【課題を解決するための手段】
【００１７】
本発明者らは、理想的に水の腐敗を完全に防止するためには、雑菌のコンタミ経路及び水中の養分を根絶することが必要条件であると考えた。しかしながら、装置の設置場所を限定できない燃料電池発電装置では、そのような必要条件の実現が困難であるのが現実であった。そこで、本発明者らは、水の腐敗を可能な限り抑制すると共に、水の腐敗に起因して流路閉塞が発生する前に、その流路閉塞が発生し得る箇所を適宜交換することが最も効果的であると判断した。
【００１８】
そして、上記課題を解決するために、本発明に係る燃料電池発電装置は、少なくとも炭素及び水素からなる有機化合物を含む原料と水とを用いて水素を生成する水素生成装置と、該水素生成装置で生成される水素と空気とを用いて発電しかつ水で冷却される燃料電池と、該燃料電池及び前記水素生成装置から排出される水を回収する水回収装置と、該水回収装置により回収された水を貯水する貯水器と、該貯水器に貯水された水を浄化する水浄化器と、該水浄化器により浄化された水を前記水素生成装置及び前記燃料電池に供給する水供給器と、前記回収された水を前記貯水器に導く水導入配管と、前記浄化された水を前記水素生成装置及び前記燃料電池に導く水供給配管とを有する燃料電池発電装置であって、前記水導入配管及び前記水供給配管が、前記水導入配管及び前記水供給配管を少なくとも前記貯水器及び前記水浄化器及び前記水供給器側の部分と残りの部分とに分離可能に接続する接続具により各々接続されている（請求項１）。かかる構成とすると、流路閉塞が発生し易い貯水器及び水浄化器及び水供給器を定期的にかつ容易に交換することができ、従って流路閉塞を効果的に防止することができるので、燃料電池発電装置の発電機能を長期に渡って維持することが可能になる。
【００１９】
この場合、少なくとも前記貯水器及び前記水浄化器及び前記水供給器が一体化されかつ前記接続具の接続又は分離によってのみ独立可能とされていてもよい（請求項２）。かかる構成とすると、貯水器及び水浄化器及び水供給器を小型化することができるので、貯水器及び水浄化器及び水供給器の定期的な交換をより一層容易に行うことが可能になる。
【００２０】
又、この場合、少なくとも前記貯水器及び前記水浄化器及び前記水供給器が、前記水供給器が分離可能に一体化されていてもよい（請求項３）。かかる構成とすると、比較的高価な水供給器が分離可能に一体化されているので、水供給器を再利用することが可能になる。
【００２１】
又、上記の場合、前記貯水器は水を貯水可能な貯水タンクを有し、前記水浄化器は水を浄化可能な浄化部材を内包する容器を有し、少なくとも前記貯水タンクと前記容器とが一体成型されていてもよい（請求項４）。かかる構成とすると、定期的な交換が必要である浄化部材（例えば、イオン交換樹脂及び活性炭等）を、水の腐敗が進行する前に定期的にかつ貯水タンクの交換と同時に交換することが可能になる。
【００２２】
この場合、前記貯水タンク及び前記容器の少なくとも水と接触する表面が、撥水性又は疎水性を有する樹脂により構成されていてもよい（請求項５）。かかる構成とすると、貯水タンク及び容器の少なくとも水と接触する表面が撥水性又は疎水性を有する樹脂により構成されているので、雑菌の付着が抑制されて水の腐敗を抑制することが可能になる。
【００２３】
この場合、前記樹脂が、ポリオレフィン樹脂、フッ素樹脂、又はシリコーン樹脂の内の何れかの樹脂であってもよい（請求項６）。かかる構成とすると、ポリオレフィン樹脂、特に、フッ素樹脂又はシリコーン樹脂等は撥水性又は疎水性が優れているので、貯水タンク及び容器の内面における雑菌の付着確率を小さくすることができ、これによって水の腐敗をより一層効果的に抑制することが可能になる。
【００２４】
又、上記の場合、前記貯水タンクはその上壁が内方より突出する凸部を有し、前記貯水器は前記貯水タンク内の水位を検出可能な水位検出手段を更に有し、前記凸部に前記水導入配管が前記貯水タンク内に貯水可能に接続されかつ前記水位検出手段が前記凸部内に配設されていてもよい（請求項７）。かかる構成とすると、貯水タンク内における水位を凸部内となるように管理することができ、これによって貯水タンクにおける水と空気と貯水タンクの壁部との接触面積を小さくすることができるので、水が腐敗する確率を小さくすることが可能になる。
【００２５】
又、上記の場合、前記接続具の内部に、水を濾過する第１の水フィルタが着脱自在に配設されていてもよい（請求項８）。かかる構成とすると、接続具の内部を通過する際に水が第１の水フィルタによって濾過されるので、水の腐敗を防止することが可能になる。
【００２６】
この場合、前記第１の水フィルタの目の寸法が、０μｍを超え０．２μｍ以下であってもよい（請求項９）。かかる構成とすると、水に含まれる雑菌等を効果的に除去することができるので、水の腐敗を効果的に防止することが可能になる。
【００２７】
又、上記の場合、前記貯水器の内部に、水を濾過する第２の水フィルタが着脱自在に配設されていてもよい（請求項１０）。かかる構成とすると、第２の水フィルタによって雑菌等の数が低減された水が水供給器に供給されるようになるので、水供給器における水の腐敗確率を小さくすることが可能になる。
【００２８】
この場合、前記第２の水フィルタの目の寸法が、０μｍを超え０．２μｍ以下であってもよい（請求項１１）。かかる構成とすると、水に含まれる雑菌等を効果的に除去することができるので、水の腐敗を効果的に防止することが可能になる。
【００２９】
又、上記の場合、少なくとも前記水素生成装置と前記燃料電池と前記水回収装置と前記貯水器と前記水浄化器と前記水供給器と前記水導入配管と前記水供給配管と前記接続具とを内包する筐体を更に有し、少なくとも前記貯水器及び前記水浄化器及び前記水供給器が前記筐体内の最下部に配設されていてもよい（請求項１２）。かかる構成とすると、燃料電池発電装置の停止時に水を一元管理することができると共に、更に水と空気との接触を抑制することができるので、水の腐敗を大幅に防止することが可能になる。
【発明の効果】
【００３０】
本発明は、以上に述べたような手段で実施され、水の腐敗を抑制すると共に、水の腐敗に起因する流路閉塞の発生を未然にかつ容易に防止する手段を備える燃料電池発電装置を提供することができるという効果が得られる。
【発明を実施するための最良の形態】
【００３１】
以下、本発明の実施の形態について、図面を参照しながら説明する。
【００３２】
図１は、本発明の実施の形態に係る燃料電池発電装置の構成を模式的に示すブロック図である。
【００３３】
先ず、本発明の実施の形態に係る燃料電池発電装置の構成について説明する。
【００３４】
図１に示すように、本発明の実施の形態に係る燃料電池発電装置１００は、後述する水素生成装置１に対して天然ガス、ＬＰＧ等の炭化水素系成分、又はメタノール等のアルコール、或いはナフサ成分等の原料を供給する原料供給装置２を有している。ここで、本実施の形態においては、この原料供給装置２は、図１では特に図示しないが、天然ガスを常時供給可能な天然ガスのインフラストラクチャーに所定の配管を介して接続されている。又、図１に示すように、原料供給装置２と水素生成装置１とは配管ｆによって接続されている。つまり、本実施の形態においては、原料供給装置２から水素生成装置１に対して天然ガスが配管ｆを介して供給される。
【００３５】
又、この燃料電池発電装置１００は、天然ガス、ＬＰＧ等の炭化水素系成分、又はメタノール等のアルコール、或いはナフサ成分等の原料と水とを用いて水素を生成する改質反応を主に進行させ、この改質反応によって後述する燃料電池３に水素リッチな改質ガスを供給する水素生成装置１を有している。本実施の形態では、この水素生成装置１では、原料供給装置２から配管ｆを介して供給される天然ガスと、後述する水処理供給装置６から配管ａ，ｅを介して供給される水とが用いられて、水素リッチな改質ガスが生成される。ここで、この水素生成装置１は、図１では特に図示しないが、上述した改質反応を進行させる改質部と、この改質部から排出される改質ガス中の一酸化炭素濃度を低減する第１の一酸化炭素低減部（通常、これを変成部という）と、この第１の一酸化炭素低減部から排出される改質ガス中の一酸化炭素濃度を更に低減する第２の一酸化炭素低減部（通常、これを浄化部という）とを備える構成となっている。尚、改質部は、改質反応を進行させるための改質触媒や、その改質触媒において改質反応を効率よく進行させるために必要な熱を発生する、原料の一部、或いは改質ガスの供給先から戻される余剰の改質ガス等を燃焼させる火炎バーナーや、その火炎バーナーでの燃焼で必要となる空気を供給する燃焼空気供給用シロッコファン等を備えている。又、変成部としての第１の一酸化炭素低減部は、改質部から排出される改質ガス中の一酸化炭素と水とを反応させて水素を得るための変成触媒を有している。又、浄化部としての第２の一酸化炭素低減部は、変成部から排出される改質ガス中の一酸化炭素を酸化或いはメタン化させて一酸化炭素濃度を低減させるためのＣＯ除去触媒を有している。
【００３６】
又、この燃料電池発電装置１００は、所定の流量で後述する燃料電池３に空気（大気）を供給することが可能なブロア４を有している。本実施の形態では、このブロア４としては、シロッコファン等の送風手段が用いられる。
【００３７】
そして、本実施の形態に係る燃料電池発電装置１００は、その発電部の本体として機能する燃料電池３を有している。この燃料電池３では、水素生成装置１から配管ｇを介して燃料電池３のアノード（燃料極）側に供給される改質ガスと、ブロア４から配管ｊを介して燃料電池３のカソード（空気極）側に供給される空気とが用いられて発電が行われる。尚、この発電の際には燃料電池３は発熱するが、水処理供給装置６から配管ａ，ｈを介して供給される水によって適宜冷却されることにより、所定の温度に調整される。又、発電時に発生する熱が給湯等の目的のために利用されることによっても、燃料電池３の温度は所定の温度に調整される。このように、水によって適宜冷却等されることにより、燃料電池３は所定の性能を発揮する。尚、本実施の形態では、燃料電池３として固体高分子電解質型の燃料電池が用いられている。
【００３８】
又、燃料電池発電装置１００は、燃料電池３の発電に伴って改質ガス中の水素と空気中の酸素とが化学反応して生成される水や、燃料電池３の冷却のために用いられた水等を回収するための水回収装置５を有している。この水回収装置５では、燃料電池３のアノード側及びカソード側から配管ｌ，ｍを介して排出される排改質ガス及び排空気に含まれる水が、空冷ファンを用いた凝縮機構によって回収される。ここで、水が回収され乾燥状態となった排改質ガスは、配管ｉを介して水素生成装置１に供給される。そして、水素生成装置１では、供給される排改質ガスは改質部を加熱するための火炎バーナーでの燃焼に再利用される。又、水が回収され乾燥状態となった排空気は、配管ｓを通じて大気中に放出される。尚、燃料電池３から配管ｋを介して排出される冷却のために用いられた水は、その状態で水回収装置５によって回収される。
【００３９】
又、燃料電池発電装置１００は、水回収装置５によって回収された水を配管ｎ，ｂを介して貯水し、浄化した後に水素生成装置１及び燃料電池３に各々供給するための水処理供給装置６を更に有している。
【００４０】
又、本実施の形態に係る燃料電池発電装置１００は、上述した水素生成装置１、原料供給装置２、燃料電池３、ブロア４、水回収装置５、水処理供給装置６、及び図１に示す排水弁１７及び市水供給弁１８の動作を適宜制御する制御装置１０１を有している。この制御装置１０１の本体としては、マイクロプロセッシングユニット（ＭＰＵ）等の集積回路素子が好適に用いられる。
【００４１】
次に、水処理供給装置６の構成について、図２を参照しながら詳細に説明する。
【００４２】
図２は、本実施の形態に係る水処理供給装置の構成を模式的に示す断面図である。尚、便宜上、水処理供給装置の上下方向を図に示すように定義する。
【００４３】
図２に示すように、本実施の形態に係る水処理供給装置６は、水回収装置５によって回収された水を貯水する貯水タンク７と、この貯水タンク７に貯水された水を浄化する水浄化部１１と、貯水タンク７に貯水された水を水浄化部１１に供給（つまり、浄化された水を水素生成装置１及び燃料電池３に供給）する水供給装置９とを主な構成要素として有している。ここで、貯水タンク７及び水浄化部１１は断面視において略矩形状の形状を各々有しており、その内部に各々略矩形状の貯水空間７ａ及び水浄化空間１１ｃを各々有している。そして、本実施の形態では、水浄化部１１は貯水タンク７の上部の所定位置に配設されている。又、水浄化部１１の底壁と貯水タンク７の上壁の一部とが一体化成形されている。つまり、水浄化部１１と貯水タンク７とは本体容器６ａとして一体化成型されている。ここで、この本体容器６ａは、少なくとも水と接触する部分が撥水性樹脂又は疎水性樹脂等の樹脂で構成されている。この撥水性樹脂又は疎水性樹脂としては、ポリオレフィン樹脂、フッ素樹脂、又はシリコーン樹脂の内の何れかの樹脂が用いられている。本実施の形態では、本体容器６ａがポリプロピレンによって構成されている。
【００４４】
貯水タンク７に貯水された水を浄化する水浄化部１１は、本体容器６ａの水浄化空間１１ｃを囲む壁部と、水浄化空間１１ｃと、活性炭１１ａ及びイオン交換樹脂１１ｂとによって構成されている。尚、本実施の形態では、水浄化空間１１ｃの下方より約１／５が活性炭１１ａにより充填されており、水浄化空間１１ｃの上方より約４／５がイオン交換樹脂１１ｂにより充填されている。つまり、水浄化空間１１ｃは活性炭１１ａ及びイオン交換樹脂１１ｂによって充填されており、これにより水浄化部１１が構成されている。
【００４５】
又、水浄化部１１の下方に位置し、水回収装置５によって回収された水を貯水する貯水タンク７は、本体容器６ａの貯水空間７ａを囲む壁部と、貯水空間７ａに導入された水に含まれる異物や雑菌等を除去可能な第２の水フィルタ１０と、貯水空間７ａ内に貯水された水の水位を検出可能なフロート式の水位検出部８とを有している。本実施の形態では、第２の水フィルタ１０は、水供給装置９の下方に配設されている。具体的には、この第２の水フィルタ１０は、本体容器６ａに対してその内部において水供給装置９から延び出る配管９ａの下端部を覆うように、所定の装着手段により着脱自在に装着されている。この第２の水フィルタ１０の目の寸法は、水中の異物や雑菌、及びその養分等を十分に除去することを考慮して、０μｍを超え０．２μｍ以下であることが好ましい。この第２の水フィルタ１０によって、水中の異物等は効果的に除去される。又、本実施の形態では、水位検出部８は、貯水タンク７の上方に設けられている。具体的には、図２に示すように、水処理供給装置６における貯水タンク７を構成する本体容器６ａの所定位置に、その本体容器６ａの一部が貯水空間７ａ側から上方へ突出してなる凸部６ｂが設けられている。この凸部６ｂの上部には、後述する水の流動経路としての配管（水導入配管）ｂが、水回収装置５によって回収された水を貯水タンク７に導入可能に接続されている。そして、この配管ｂの下方に、貯水タンク７内の水の水位を検出することが可能な水位検出部８が設けられている。この水位検出部８は、その下端が本体容器６ａに固定され、その上端が開放端とされかつ凸部６ｂの内部にまで延び出た直線形状を有するガイド棒８ａと、このガイド棒８ａに沿って移動可能な水位検出センサとしてのフロート８ｂとを有している。水位検出部８では、ガイド棒８ａに沿ってフロート８ｂが貯水タンク７内の水位に応じて上下移動することにより、貯水タンク７内の水位が検出される。
【００４６】
そして、本実施の形態では、貯水タンク７の上部の所定位置に水供給装置９が配設されている。この水供給装置９からは、貯水タンク７内の水を水浄化部１１に送出するための配管９ａ及び９ｂが延び出ている。そして、この水供給装置９から延び出る配管９ａ及び９ｂの先端が貯水空間７ａ及び水浄化空間１１ｃの内部に各々位置されている。これにより、貯水タンク７に貯水された水が水浄化部１１へ送り出される。ここで、前述したように、水供給装置９から延び出る配管９ａの下端部は、水中の異物や雑菌等を除去可能な第２の水フィルタ１０によって覆われている。尚、本実施の形態においては、水供給装置９は、水処理供給装置６（本体容器６ａ）に対して着脱自在に配設されている。又、水供給装置９としては、プランジャーポンプが用いられる。
【００４７】
又、図２に示すように、水処理供給装置６の所定の位置には、その内部を水が流れる配管ａ，ｂ，ｃ，ｄが接続されている。ここで、配管ｂは、水回収装置５によって回収された水を水処理供給装置６の貯水タンク７に導入するための水導入配管である。この配管ｂは、貯水タンク７における凸部６ｂの上部に接続されている。又、配管ａは、水浄化部１１によって浄化された水を水素生成装置１及び燃料電池３へ送り出すための水供給配管である。この配管ａは、水浄化部１１の上部の所定位置に接続されている。又、配管ｃは、貯水タンク７における貯水量を制御する際、過剰な水（若しくは、空気等）を貯水タンク７から排出するための配管である。この配管ｃは、貯水タンク７の側壁における上方の所定位置に接続されている。又、配管ｄは、貯水タンク７内に貯水された水の水位を上昇させる際に水道等の水供給インフラストラクチャーから水を供給するために用いられる配管である。この配管ｄは、貯水タンク７の側壁における下方の所定位置に接続されている。そして、これらの配管ａ，ｂ，ｃ，ｄの水処理供給装置６と接続されない端部の各々は、図１に示すように、相互に分離容易な２つの部材からなる接続具１４ａ，１４ｂ，１４ｃ，１４ｄを介して、配管ｅ（及びｈ），ｎ，ｏ，ｐに各々接続されている。つまり、本発明の実施の形態に係る水処理供給装置６は、接続具１４ａ，１４ｂ，１４ｃ，１４ｄの接続又は分離によってのみ、燃料電池発電装置１００に対して着脱自在とされている。尚、接続具１４ｃに接続された配管ｏの他端は、排水弁１７に更に接続されている。そして、この排水弁１７には、配管ｑが接続されている。配管ｑからは、貯水タンク７における貯水量を制御する際の過剰な水（若しくは、空気）が排出される。又、接続具１４ｄに接続された配管ｐの他端は、市水供給弁１８に更に接続されている。そして、この市水供給弁１８には、配管ｒが接続されている。この配管ｒは水道等の水供給インフラストラクチャーに接続されている。
【００４８】
ここで、接続具１４ａ〜１４ｄの構成について図面を参照しながら説明する。
【００４９】
先ず、接続具１４ａ〜１４ｄの基本的な構成（共通点）について説明する。
【００５０】
図３及び図４は、本実施の形態に係る接続具１４ａ〜１４ｄの構成を模式的に示す断面図である。図３及び図４に示すように、接続具１４ａ〜１４ｄは、第１の部材１４１と第２の部材１４２とを有している。ここで、第１の部材１４１はリング状の形状を有している。この第１の部材１４１の内周面の所定位置には、その全周に渡って矩形断面を有する凹部１４１ａが形成されている。そして、図３及び図４に示すように、この凹部１４１ａの内部には、Ｏリング１２が配設されている。又、第１の部材１４１の内周面には、内径が小さくなるように段差１４１ｂが形成されている。一方、第２の部材１４２は第１の部材１４１の内径と略同一の外径を有する管状に形成されており、その先端部に前記外径より小さい外径を有する小径部１４２ａを有している。そして、本実施の形態では、第１の部材１４１と第２の部材１４２とは、第２の部材１４２が第１の部材１４１の内部に挿入されてその先端が第１の部材１４１の段差１４１ｂに当接し、かつ第２の部材１４２の小径部１４２ａの外周の一部がＯリング１２の内周面と摺れるように接することにより、相互に接続される。又、第２の部材１４２を第１の部材１４１から引き抜くことによって、第２の部材１４２と第１の部材１４１とは相互に容易に分離される。これを、本明細書においては、接続具１４ａ及び１４ｂが分離されると表現する。又、第２の部材１４２の、段差１４１ｂと当接しない側の端部には、伸縮変形可能な筒状部材１３が所定の接続手段によって接続されている。この筒状部材１３としては、本実施の形態では、ゴム等の変形自在な材料が用いられる蛇腹ホースが用いられている。ここで、この筒状部材１３の形態としては、本実施の形態で示す蛇腹ホースに限定されることはない。つまり、筒状部材１３としては、伸縮変形等が可能な部材であれば、如何なる部材を用いてもよい。尚、図３に示すように、配管ｅ（ｈ）又は配管ｎと第１の部材１４１とは、所定の接続手段によって相互に接続されている。又、配管ａ又はｂと筒状部材１３とは、所定の接続手段によって相互に接続されている。又、図４に示すように、配管ｃ又は配管ｄと第１の部材１４１とは、所定の接続手段によって相互に接続されている。又、配管ｏ又はｐと筒状部材１３とは、所定の接続手段によって相互に接続されている。
【００５１】
次に、接続具１４ａ，１４ｂと接続具１４ｃ，１４ｄとの相違点について説明する。
【００５２】
図３に示すように、接続具１４ａ及び１４ｂにおける第２の部材１４２内の所定位置には、水中の異物や雑菌、及びその養分等を除去するための第１の水フィルタ１４０が配設されている。この第１の水フィルタ１４０の目（透孔）の寸法は、水中の異物や雑菌、及びその養分等を十分に除去することを考慮して、０μｍを超え０．２μｍ以下であることが好ましいとされる。この第１の水フィルタ１４０によって、水中の異物等は効果的に除去される。一方、図４に示すように、接続具１４ｃ及び１４ｄにおける第２の部材１４２の内部には、上述した第１の水フィルタ１４０は配設されていない。このように、接続具１４ａ，１４ｂと接続具１４ｃ，１４ｄとでは、第２の部材１４２の内部に第１の水フィルタ１４０を有しているか否かの点において、その構成が異なっている。尚、その他の点については、接続具１４ａ，１４ｂと接続具１４ｃ，１４ｄとは同様である。
【００５３】
次に、水素生成装置や燃料電池等の筐体への収納状態について説明する。
【００５４】
図５は、本発明の実施の形態に係る燃料電池発電装置の外観を示す外観図である。
【００５５】
図５に示すように、本実施の形態の燃料電池発電装置１００は、水素生成装置１、原料供給装置２、燃料電池３、ブロア４、水回収装置５、水処理供給装置６、制御装置１０１、配管ａ〜ｓ及び接続具１４ａ〜１４ｄ等の、燃料電池発電装置１００を構成する各構成要素を、筐体１０２の内部に有している。ここで、この筐体１０２は、本実施の形態では、略直方体の形状を有している。そして、この筐体１０２の所定の側面１０３の下方の所定位置には、平板状のメンテナンス扉１６が設けられている。このメンテナンス扉１６は、筐体１０２の側面１０３の一部を構成するように、複数の取り付けビス１５によって筐体１０２に着脱自在に取り付けられている。そして、図５に示すように、燃料電池発電装置１００は、メンテナンス扉１６を取り外すことによって水処理供給装置６が露出する（アクセスすることができる）ように構成されている。又、水処理供給装置６は、その底面と筐体１０２の底面とが接触するように、所定の固定手段によって筐体１０２内の下方に着脱自在に取り付けられている。つまり、水処理供給装置６は、燃料電池発電装置１００における筐体１０２の内部の最下部に配設されている。又、この水処理供給装置６は、筐体１０２からの取り出しが容易となるよう、メンテナンス扉１６の近傍に位置するよう配置されている。尚、このメンテナンス扉１６、ひいてはメンテナンス扉１６を取り外した場合に形成される筐体１０２における開口部の大きさは、水処理供給装置６を燃料電池発電装置１００から容易に取り外し得る大きさとなるように決められている。
【００５６】
次に、本発明の実施の形態に係る燃料電池発電装置の動作について説明する。
【００５７】
本実施の燃料電池発電装置１００の発電動作は、従来の燃料電池発電装置の発電動作と同様である。即ち、燃料電池発電装置１００を起動し、燃料電池３から所定の電力を得るためには、先ず、水素生成装置１を作動させる。この時、水素を生成するための原料となる例えば天然ガスが原料供給装置２から、又、改質反応において必要となる水が水処理供給装置６から、各々配管ｆ及び配管ａ，ｅを介して水素生成装置１に供給される。尚、この時、水素生成装置１には、接続具１４ａ内に配設された第１の水フィルタ１４０によって雑菌等が除去された水が供給される。これにより、水素生成装置１では、改質反応によって水素を豊富に含む改質ガスが生成される。そして、水素生成装置１から配管ｇを介して改質ガスが供給されると、燃料電池３では、水素生成装置１からアノード側に供給された改質ガスに含まれる水素と、ブロア４から配管ｊを介してカソード側に供給された空気に含まれる酸素とが用いられて発電が行われる。この時、燃料電池３は、配管ｈを介して供給される冷却水によって冷却されながら発電を行う。これにより、燃料電池３は、安定した発電動作を呈するようになる。尚、発電に伴って燃料電池３のアノード側及びカソード側から廃棄される排改質ガス及び排空気は、配管ｌ，ｍを介して水回収装置５に導入される。又、燃料電池３の冷却のために用いられた冷却水は、配管ｋを介して水回収装置５に導入される。水回収装置５では、排改質ガス及び排空気に含まれる水が凝縮されて回収される。この水回収装置５によって回収された水は、その後、配管ｎ及び配管ｂを介して水処理供給装置６の貯水タンク７に導入される。この時、水回収装置５からの水は、接続具１４ｂ内に配設された第１の水フィルタ１４０によって濾過された後に、水処理供給装置６の貯水タンク７に導入される。その後、貯水タンク７に送られた水は、貯水タンク７内に配設された第２の水フィルタ１０と水浄化部１１とを経て不純物が除去された後、水供給装置９の動作によって水素生成装置１及び燃料電池３に供給される。燃料電池発電装置１００は、上記一連の動作を行うことにより、水素生成装置１及び燃料電池３で使用する水を基本的に外部から補充することなく、発電動作を連続して行う。尚、貯水タンク７における貯水量の過不足が生じた場合には、排水弁１７からの水の廃棄、又は市水供給弁１８からの市水の取り入れによって、貯水量が調整される。
【００５８】
又、本実施の形態では、水処理供給装置６の貯水タンク７における貯水量は、水位検出部８のフロート８ｂにより貯水タンク７内の水面が検出されることによって制御される。より具体的には、水処理供給装置６の貯水タンク７内の貯水量が、貯水タンク７内の水の空気と接する水面が凸部６ｂ内に位置するように制御される。例えば、前記水面が凸部６ｂ内に位置しない場合には、市水供給弁１８が開状態とされ、これにより水道から貯水タンク７に水が供給される。そして、前記水位が凸部６ｂ内に位置するように貯水量が制御されると、市水供給弁１８は閉状態とされて水の供給が停止される。又、貯水タンク７内の水が過剰である場合には、排水弁１７を開状態とすることにより過剰な水を排出する。このように、本実施の形態では、貯水タンク７内の水の水面が常に凸部６ｂ内に位置するように、貯水量が適宜制御される。
【００５９】
このように、本発明に係る燃料電池発電装置１００の基本的な発電動作は、従来の燃料電池発電装置の基本的な発電動作と同様である。つまり、従来の燃料電池発電装置の場合と同様にして、本実施の形態に示す燃料電池発電装置１００においても、その装置の内部で回収した水が用いられた水自立状態での発電運転が行われる。この場合、水回収装置５によって回収された水はカルシウムや金属イオン等の不純物を殆ど含有しないため、水浄化部１１で用いるイオン交換樹脂１１ｂ及び活性炭１１ａ等の部材の使用寿命が比較的長寿命となることが見込める。しかし、水回収装置５によって回収された水は、塩素等の殺菌成分を含まない。又、その一方で、カソード側から排出される排空気中には、雑菌及びそれらが必要とする養分等が含まれている。従って、水回収装置５によって回収した水をそのままの状態で使用する場合には、その回収した水がその後に腐敗する可能性が高い。そして、水の腐敗が進行した場合には、水回収装置５或いは水処理供給装置６内等で水の流露閉塞等が生じる可能性がある。この場合、水素生成装置１及び燃料電池３への水の供給に支障が生じるので、燃料電池発電装置１００を正常に作動させることが困難となる。つまり、燃料電池発電装置１００から所望の電力を得ることが困難となる。そこで、この水の腐敗を防止するため、オゾンや紫外線を用いた回収水中の雑菌等を殺菌する方法が種々提案されたが、水中の雑菌を１００％殺菌することは困難であり、水中には必ず雑菌が存在していた。尚、水の腐敗が遅々として進行した場合にその影響を受け易い部分としては、水を大量に蓄える貯水タンク７や、雑菌の繁殖場所となり易い水浄化部１１、及び流露閉塞による供給圧損の影響を大きく受ける水供給装置９等が挙げられる。
【００６０】
そこで、本発明の実施の形態では、貯水タンク７と水浄化部１１と水供給装置９とで水処理供給装置６を一体構成している。又、水素生成装置１及び燃料電池３と水処理供給装置６との間と、水回収装置５と水処理供給装置６との間とに、各々接続具１４ａ，１４ｂを設けている。又、接続具１４ｃ及び１４ｄを、排水弁１７及び市水供給弁１８と水処理供給装置６との間に設けている。そして、その接続具１４ａ〜１４ｄの接続又は分離によって水処理供給装置６の燃料電池発電装置１００からの着脱を容易にすることにより、水処理供給装置６の交換を容易とする構成としている。具体的には、接続具１４ａ〜１４ｄにおける各々の筒状部材１３を変形させる（縮める）ことによって第２の部材１４２を第１の部材１４１の内部から引き抜くことにより、水処理供給装置６を筐体１０２内から容易に分離する。この構成により、簡便にかつ容易に、腐敗進行確率が高く、かつ水の腐敗が生じ運転上障害となり易い部分（つまり、水処理供給装置６）の交換を容易に行うことが可能となる。又、燃料電池発電装置１００の構成を単純化し、これにより装置の信頼性を向上させることが可能となる。
【００６１】
又、水処理供給装置６における水浄化部１１は、使用時間に応じて浄水性能が劣化する活性炭１１ａとイオン交換樹脂１１ｂとを構成要素とするため、長期使用は望めるものの定期的な交換を必要とする。本発明の実施の形態では、水浄化部１１が水処理供給装置６の構成要素として一体化されているので、水処理供給装置６内における水の腐敗が進行して水供給に障害が発生する前に、活性炭１１ａ及びイオン交換樹脂１１ｂの定期的な交換も同時に可能となる。更に、貯水タンク７と水浄化部１１と水供給装置９とを一体で構成しているので、その交換性を更に容易にすることが可能である。
【００６２】
又、本発明の実施の形態では、水処理供給装置６における本体容器６ａを、ポレオレフィンであるポリプロピレン樹脂で構成している。その理由は、ポリエチレン、ポリプロピレン、ポリメチルペンテン等のポレオレフィン樹脂は、金属材料や他の樹脂と比較して、水の接触角が小さく、従って容器内面での腐敗成分付着確率を小さくできるからである。又、本体容器６ａを樹脂で構成することにより、その成形性も向上させ、かつ交換時に必要なコストも低減させることが可能である。
【００６３】
又、雑菌等が容器内面に付着して繁殖する場合には、その容器内面における水と空気との界面で繁殖する確率が高い。これは、空気中からの養分或いは酸素の溶存が気液界面において最も進行し易いからである。そこで、本発明の実施の形態では、貯水タンク７上部での水と空気との界面面積を小さくするために、貯水タンク７の上方に凸部６ｂを設けることとしている。そして、この凸部６ｂの内部に水位検出部８を設け、貯水タンク７内の水位が凸部６ｂ内となるように貯水量を制御することとしている。これにより、貯水タンク７内における水と空気との界面の面積を小さくすることが出来るので、水処理供給装置６内における水の腐敗確率を小さくすることができる。又、燃料電池発電装置１００の停止時は、水の循環が行われないため水の腐敗が進行し易い。そこで、水処理供給装置６を燃料電池発電装置１００内の最下部に配設するようにしている。これにより、燃料電池発電装置１００の停止時には水を貯水タンク７内に自然に集めることができ、他の部分に水が存在しないようにすることができるので、水の腐敗進行が抑制することができる。又、貯水タンク７によって水を一元管理できると共に、水と空気との接触も制御できるため、水処理供給装置６内での水の腐敗確率を大幅に低減させることができる。
【００６４】
又、水の腐敗は流露閉塞を引き起こすことが大きな課題であり、特に、プランジャーポンプ等を用いた水供給装置９では、ポンプ内での水経路断面積小さいため、いち早く流露閉塞が発生する。そこで、本発明の実施の形態では、水処理供給装置６における水供給装置９を着脱可能に配設している。又、それと共に、貯水タンク７内の配管９ａを取り囲むように、脱着可能な第２の水フィルタ１０を設ける構成としている。このように、水供給装置９を着脱可能に配設することにより、他の部品より高価でかつ長時間の動作寿命が見込める水供給装置９の再利用が容易となる。又、第２の水フィルタ１０をも配設することで、水中の雑菌がフィルタによって除去できる確率が高くなり、これにより水供給装置９での流露閉塞の確率を小さくすることが可能となる。尚、雑菌の除去を目的とするため、第２の水フィルタ１０の目の寸法は、水中に繁殖する一般的雑菌より小さくすることが望ましい。そこで、本実施の形態では、第２の水フィルタ１０の目の開きを０μｎを超えかつ０．２μｍ以下としている。これにより、水中の雑菌等を効果的に除去することが可能になる。
【００６５】
又、接続具１４ａ，１４ｂの内部に第１の水フィルタ１４０を設け、この第１の水フィルタ１４０によって水を濾過する構成としている。これにより、水処理供給装置６における水の腐敗確率を更に小さくすることが可能になる。尚、雑菌の除去を目的とするため、第１の水フィルタ１４０の目の寸法は、水中に繁殖する一般的雑菌より小さくすることが望ましい。そこで、本実施の形態では、第１の水フィルタ１４０の目の開きを０μｎを超えかつ０．２μｍ以下としている。これにより、水中の雑菌等を効果的に除去することが可能になる。
【００６６】
尚、水処理供給装置６の本体容器６ａは、価格上昇を容認できれば、フッ素樹脂、又は金属表面をフッ素樹脂等でコーティングした材料で構成してもよい。又、本実施の形態では、貯水タンク７を筐体１０２内の最下部になるよう配設したが、貯水タンク７を筐体１０２内の任意の位置に配設し、燃料電池発電装置１００の運転停止時には水をポンプ等の手段によって移動させて貯水タンク７内に一元管理するようにしてもよい。かかる構成としても、本実施の形態と同様の効果が得られる。
【００６７】
（実施例）
本発明の実施の形態に係る燃料電池発電装置１００を用いた場合の水の腐敗進行状態及び腐敗防止効果の一実施例について、以下に説明する。
【００６８】
本実施の形態に係る燃料電池発電装置１００を１週間、３ヶ月間、及び６ヶ月間連続で発電動作させた場合における貯水タンク７中の水を各々サンプリングし、寒天培地法によりそれら各々の水に含まれる一般細菌数を計測した。その結果、燃料電池発電装置１００を１週間連続で発電動作させた場合の一般細菌の数は、１．０×１０2個であった。又、燃料電池発電装置１００を３ヶ月間連続で発電動作させた場合の一般細菌の数は、９．８×１０3個であった。又、燃料電池発電装置１００を６ヶ月間連続で発電動作させた場合の一般細菌の数は、６．０×１０4個／ｍｌであった。この場合、水処理供給装置６における本体容器６ａの内面には雑菌の繁殖に起因すると思われる滑りが生じていたが、水素生成装置１及び燃料電池３への水の供給に支障が生じる状態ではなかった。以上のように、本発明の実施の形態に係る燃料電池発電装置１００を用いることにより、雑菌の繁殖は確実に進行するが、水の供給に障害が生じることは抑制された。
【００６９】
又、燃料電池発電装置１００を６ヶ月間連続して運転させた後に水処理供給装置６を新品に交換し、その後更に約６ヶ月間発電運転を行った。そして、その後、貯水タンク７内の水をサンプリングし、寒天培地法によりその水に含まれる雑菌の数を計測した。その結果、貯水タンク７内からサンプリングした水に含まれる雑菌の数は、５．０×１０4個／ｍｌであった。これは、燃料電池発電装置１００を６ヶ月間連続で発電動作させた場合の一般細菌の数と略同等であった。即ち、水処理供給装置６を定期的に交換することにより、燃料電池発電装置１００内での雑菌の繁殖を大幅に抑制することが可能であることが判明した。
【００７０】
又、同時に、本実施の形態に係る燃料電池発電装置１００を６ヶ月間連続で発電運転させた後、貯水タンク７内の水を抜き出し、その水の雑菌の繁殖試験を行った。この場合、繁殖試験を行うための容器としては、ステンレスで構成した容器と、本実施の形態の構成で用いたポリプロピレン樹脂で構成した容器とを用いた。又、各々の容器内には水を８割程度導入することとした。又、同時に、ポリプロピレン樹脂で構成した容器を用いる実験では、水と空気との接触をできるだけ小さくするため、容器の全容量分水を導入する試験も行った。そして、水が導入された各々の容器を４０℃の環境で１ヶ月間放置した後、容器内面における空気と接触する部分に付着した雑菌の数を計測した。尚、容器全容量分水を導入したポリプロピレン樹脂で構成した容器については、容器内上部に付着した雑菌の数を計測した。その結果、容器内面の空気と接触する部分における雑菌数は、ステンレス容器の場合には９．８×１０4個／ｍｌ、ポリプロピレン樹脂容器の場合には６．０×１０4個／ｍｌであった。又、容器の全容量分水を導入したポリプロピレン樹脂容器の場合には、雑菌の数は５．０×１０4個／ｍｌであった。以上の実験から、水処理供給装置６の本体容器６ａをポリプロピレン樹脂で構成することにより、貯水タンク７の内面への雑菌の付着を低減することが可能であり、かつ、空気接触の少ない部分を積極的に導入することで、貯水タンク７の内面での雑菌繁殖を抑制できる効果が得られることが分かった。
【００７１】
尚、上述した雑菌の繁殖状態等の結果は、一実施例として示したものである。従って、燃料電池発電装置の設置場所、季節、初期状態、及び使用温度等の状態により相違する場合があることは言うまでもない。
【産業上の利用可能性】
【００７２】
本発明の燃料電池発電装置は、水の腐敗を抑制すると共に、水の腐敗に起因する流路閉塞の発生を未然にかつ容易に防止する手段を備える燃料電池発電装置として有用である。
【図面の簡単な説明】
【００７３】
【図１】本発明の実施の形態に係る燃料電池発電装置の構成を模式的に示すブロック図である。
【図２】本発明の実施の形態に係る水処理供給装置の構成を模式的に示す断面図である。
【図３】本発明の実施の形態に係る接続具の構成を模式的に示す断面図である。
【図４】本発明の実施の形態に係る接続具の構成を模式的に示す断面図である。
【図５】本発明の実施の形態に係る燃料電池発電装置の外観を示す外観図である。
【符号の説明】
【００７４】
１  水素生成装置
２  原料供給装置
３  燃料電池
４  ブロア
５  水回収装置
６  水処理供給装置
６ａ  本体容器
６ｂ  凸部
７  貯水タンク
７ａ  貯水空間
８  水位検出部
８ａ  ガイド棒
８ｂ  フロート
９  水供給装置
９ａ，９ｂ  配管
１０  第２の水フィルタ
１１  水浄化部
１１ａ  活性炭
１１ｂ  イオン交換樹脂
１１ｃ  水浄化空間
１２  Ｏリング
１３  筒状部材
１４ａ〜１４ｄ  接続具
１５  取り付けビス
１６  メンテナンス扉
１７  排水弁
１８  市水供給弁
１００  燃料電池発電装置
１０１  制御装置
１０２  筐体
１０３  側面
１４０  第１の水フィルタ
１４１  第１の部材
１４１ａ  凹部
１４１ｂ  段差
１４２  第２の部材
１４２ａ  小径部
ａ〜ｓ  配管
【図１】
2005339889.tif 000003
【図２】
2005339889.tif 000004
【図３】
2005339889.tif 000005
【図４】
2005339889.tif 000006
【図５】
2005339889.tif 000007